(57)【特許請求の範囲】
【請求項１】
屋外に設置される電子機器の筐体ケースであって、
前記電子機器に設けられた端子を鉛直下側に取出すための孔が形成された端子取出面と、該端子取出面に対して略垂設され、略鉛直方向の面への取付けに用いられる取付面とを有し、前記電子機器が固定される基台と、
前記基台と係止されることにより前記電子機器を覆い、前記端子取出面より鉛直下側に所定長だけ突出した裾部を有したカバーとを備え、
前記端子取出面の縁部に、前記電子機器の電源線を外部に導出するための、第１側壁と第２側壁とを有する略Ｕ字状断面の溝部が内側に所定の長さを有して形成されたこと
を特徴とする電子機器の筐体ケース。
【請求項２】
前記端子取出面側における前記溝部の深さ及び幅は、前記電源線の外径寸法に略等しいことを特徴とする請求項１に記載の電子機器の筐体ケース。
【請求項３】
前記第１側壁及び前記第２側壁のうち、少なくとも前記電子機器側に位置する側壁の一辺が前記端子取出面に設けられ、他の一辺が前記取付面上に設けられることにより、該側壁が前記電子機器と前記電源線との間を仕切る隔壁を成すことを特徴とする請求項１又は２に記載の電子機器の筐体ケース。
【発明の詳細な説明】
【０００１】
【発明の属する技術分野】
本発明は、屋外に設置される電子機器の筐体ケースに関し、例えば屋内向けＣＡＴＶ用電子機器を屋外に設置する際に用いられる防水ケースに関する。
【０００２】
【従来の技術】
従来、屋外に設置されるＣＡＴＶ用電子機器の防水ケースとしては、例えば図７に示される構造のものが知られている。
図７に示されるようにケース２００は、図略の電子機器が収納固定される本体ケース４０と電子機器を覆うカバー４１とが、ヒンジ機構４３により開閉自在に設けられ、留め具４４により本体ケース４０とカバー４１とが閉状態に固定される構造としている。このケース２００では、その下端に突出して設けられた円筒状の取出部４２により電子機器に設けられた端子や電源線を外部に導出している。
【０００３】
【発明が解決しようとする課題】
しかしながら、上記従来技術では、各取出部４２においてスポンジ、ゴムなどのパッキンを用いて電源線などを挟み込むと共に、本体ケース４０とカバー４１との接合面などにもパッキンを配置することによって、ケース２００を防水しているので、部品点数が多くなり、コストが増加するという問題がある。又、取出部４２が下端に突出して設けられることにより、その分だけケース２００が大型化し、この点においてもコストの増加をもたらすという問題がある。
【０００４】
従って、本発明の目的は、上記課題に鑑み、電子機器の筐体ケースにおいて、防水性を確保しつつ、小型化及び低価格化を実現することである。
【０００５】
【課題を解決するための手段】
上記の課題を解決するために、請求項１に記載の手段によれば、屋外に設置される電子機器の筐体ケースは、基台とカバーとで構成される。基台は、電子機器に設けられた端子を鉛直下側に取出すための孔が形成された端子取出面と、その端子取出面に対して略垂設され、所定位置への取付けに用いられる取付面とを有しており、この基台に電子機器が固定される。カバーは、基台と係止されることにより電子機器を覆い、端子取出面より鉛直下側に所定長だけ突出した裾部を有している。そして、端子取出面の縁部に、電子機器の電源線を外部に導出するための、第１側壁と第２側壁とを有する略Ｕ字状断面の溝部が内側に所定の長さを有して形成される。
これにより、端子取出面の縁部において内側に向かって設けられた溝部に電源線を配置し、カバーの裾部が端子取出面に対して所定長だけ鉛直下側に突出して設けられるので、溝部に対して十分な防水性を得ることができる。又、電源線を略Ｕ字状断面の溝部に配置する構成であるので、組付けが容易である。又、溝部に対する防水性を得るために、パッキンを必要としないので部品点数を低減できる。又、電源線を導出する溝部が内側に設けられているので、ケースの小型化が可能となり、コストを低減できる。
【０００６】
請求項２に記載の手段によれば、端子取出面側における溝部の深さ及び幅を、電源線の外径寸法に略等しくすることにより、電源線と第１側壁及び第２側壁との間の間隙がなくなり、ケースの防水性をより高めることができる。
【０００７】
請求項３に記載の手段によれば、第１側壁及び第２側壁のうち、少なくとも電子機器側に位置する側壁の一辺が端子取出面に設けられ、他の一辺が取付面上に設けられることにより、その側壁が電子機器と電源線との間を仕切る隔壁を構成する。溝部からケース内部に水が浸入したとしても、取付面まで延びた隔壁により電子機器側への浸入が防止されるので、電子機器に対する水の浸入をより効果的に防止できる。
【０００８】
【発明の実施の形態】
以下、本発明を具体的な実施例に基づいて説明する。
図１は、本発明の具体的な実施例に係わる筐体ケース１００の構成を示した模式図である。ケース１００は、ＡＢＳ（アクリロニトリル−ブタジエン−スチレン）などの硬質樹脂から成り、基台１０とカバー２０とで構成されている。基台１０は、壁面等への取付けのために取付孔１１、１２が設けられた取付面２と、その取付面２に対して略垂設された端子取出面１とで構成されている。
端子取出面１には、後述するＣＡＴＶ用増幅器のアース端子、入力端子、モニター端子及び出力端子をそれぞれ外部に導出するために、孔６、７、８及び９とが形成されている。又、増幅器の電源線を外部に導出するために、端子取出面１の縁部１ａに略Ｕ字状の切欠き３が形成されている。この切欠き３の深さ及び幅は、電源線の外径寸法に略等しく形成されている。端子取出面１の内側の切欠き３の側壁３ａ近傍には、所定長さを有する第１側壁４及び第２側壁５が設けられている。この第１側壁４及び第２側壁５の一辺は端子取出面１に接合され、他の一辺は取付面２上に接合され、端子取出面１及び取付面２に対して略垂設されている。第１側壁４及び第２側壁５は、切欠き３側より取付面２側が長い台形状を成している。ここで、切欠き３、第１側壁４及び第２側壁５が請求項でいう溝部に相当し、第１側壁４が増幅器と電源線とを仕切る隔壁に相当する。
カバー２０は、基台１０の端子取出面１に対応した開口部を有した略箱状を成し、正面部２０ａの内壁には基台１０との係止に用いられる係止部２２（図３参照）が設けられている。又、正面部２０ａと側面部２０ｂ、２０ｃには、基台１０との係止時に増幅器の端子や電源線を覆うことにより、それらに対して防水効果を与える裾部２１ａ、２１ｂ及び２１ｃがそれぞれ設けられている。
【０００９】
次に、増幅器３０のケース１００への取付け方法について図２及び図３を用いて説明する。まず、増幅器３０を基台１０の取付面２上に載置し、入力端子３４、モニタ端子３５及び出力端子３６をそれぞれ孔７、８及び９に挿入し、端子取出面１と増幅器３０の対向する面とを当接させる。尚、入力端子３４、モニタ端子３５及び出力端子３６は、それぞれ図略のゴムブーツを備えた同軸ケーブルに接続されるので、これら端子については良好な防水性が得られる。
次に、アース端子３２の孔にネジ３３を挿通し、このネジ３３を孔６を介して増幅器３０のネジ孔（図略）に螺着する。このネジ３３のネジ孔への螺着により、増幅器３０が基台１０に固定される。又、増幅器３０のケースがこのアース端子３２に電気的に接続される。増幅器３０の側面部より導出された100Vの電源線３１は、第１側壁４と第２側壁５との間に配置され、切欠き３より端子取出面１の外側に導出される。基台１０に増幅器３０を取付けた状態を示した斜視図が図２である。
【００１０】
増幅器３０を基台１０に固定した後、カバー２０を基台１０に対して図１に示される位置関係に配置し、カバー２０を基台１０側にスライドさせることにより、カバー２０を基台１０に組付ける。
カバー２０の正面部２０ａに設けられた係止部２２が、端子取出面１の縁部１ａに係止することにより、カバー２０と基台１０とが組付けられる。図３は、この状態を示した模式的断面図であり、図の縦方向が壁面方向である。尚、図３は、切欠き３を通って取付面２に対して直交する面を切断面とした第２側壁５側から見た図である。図３に示されるように、カバー２０の裾部２１ａ、２１ｂ及び２１ｃが端子取出面１より所定長だけ下側に突出して設けられる。カバー２０の取り外しは、裾部２１ａに対して端子取出面１より離れる方向に力を作用させ、係止部２２と縁部１ａとの係止を解除して、カバー２０を上方にスライドさせればよい。
【００１１】
上記に示すように、切欠き３が端子取出面１の縁部１ａに設けられ、切欠き３の深さ及び幅が電源線３１の外径に略等しく、カバー２０の裾部２１ａ〜２１ｃが所定長だけ下側に突出しているので、切欠き３からケース１００内に雨水が浸入することがなく、鉛直から６０度の角度範囲（ＪＩＳ保護等級３）内で進行する雨水に対して良好な防水性が得られる。
又、仮に切欠き３よりケース１００内に水が浸入したとしても、第１側壁４が電源線３１と増幅器３０とを仕切る隔壁として機能するので、増幅器３０に対して確実に防水できる。又、第１側壁４と第２側壁５の長さのため、切欠き３より水が浸入しても第１側壁４と増幅器３０との間に浸入せずに、重力により切欠き３より外部に排出されるので良好な排水性が得られる。
又、電源線３１の組付けの際に、第１側壁４と第２側壁５とがガイドとして機能するので、電源線３１の組付けが容易である。又、本実施例では、防水性を得るために、切欠き３と電源線３１との間にゴム等のパッキンを設ける必要がないので、ケース１００の部品点数が低減し、コストを低減できる。さらに、第１隔壁４及び第２隔壁５をケース１００の内部に設けているので、ケース１００の小型化が可能であり、コストをより低減できる。
【００１２】
上記実施例では、略台形状の第１側壁４及び第２側壁５の他端を取付面２上に接合したが、電源線３１と増幅器３０との間を仕切る隔壁が設けられればよいので、第２側壁５の他端は必ずしも取付面２上に接合しなくともよい。
又、カバー２０の裾部２１ａ〜２１ｃによる防水効果が十分であれば、電源線３１と増幅器３０との間を仕切る隔壁がなくともよい。隔壁を設けない基台６０の斜視図を図４に示すが、略Ｕ字状の切欠き３の側壁３ａの近傍に、所定長の側壁５１、５２から成る略Ｕ字状断面の溝５０が、縁部１ａの内側に突出して接合されている。この基台６０では、増幅器側に設けられた側壁５１は取付面２に接合されず、電源線と増幅器との間を仕切る隔壁が設けられていない。このように、カバー２０の裾部２１ａ〜２１ｃによる防水効果が十分であれば、基台６０に隔壁を設けない構成としてもよい。
又、上記実施例では、切欠き３の深さ及び幅を電源線３１の外径寸法に略等しくすることにより防水性を高めているが、電源線３１の外径寸法と略等しくする部位は切欠き３に限定されるものではない。例えば、図４に示す構成において、溝５０の深さ及び幅を長手方向に沿って変化させ、溝５０の長手方向の切欠き３側の所定の位置において、溝５０の深さ及び幅を電源線の外径寸法に略等しくすれば、切欠き３の深さ及び幅を電源線３１の外径寸法に略等しくせずとも、上記実施例と同等の防水性を得ることが可能である。
【００１３】
又、上記実施例では、カバー２０の正面部２０ａに対向した端子取出面１の縁部１ａに設けた切欠き３より電源線３１を取出す構成としたが、電源線３１を端子取出面１の他の縁部より取出す構成としてもよい。例えば、図５に示されるように、カバー２０の側面部２０ｃに対向した端子取出面１の縁部１ｃに溝７０を設け、その溝７０より電源線３１を取出してもよい。又、図５に示されるように、溝７０の端面７０ａを、端子取出面１より外側に突出して設けてもよい。
【００１４】
又、取付面２を用いて電源線３１を取出すための溝を構成してもよい。その構成を図６に示す。図６に示されるように、基台１１０の端子取出面１の大きさは増幅器３０のサイズと略同等の大きさを成しており、図１に示される基台１０に比べて小さく形成されている。端子取出面１の縁部１ｃには、端子取出面１及び取付面２に略直交して第１側壁８１が設けられている。この第１側壁８１の深さは端子取出面１の縁部１ｃに略等しく、縁部１ｃと異なる側の端部８１ａは取付面２の端部２ａに至るだけの長さを有せず、端部８１ａと端部２ａとの間の空間で電源線３１の配置を可能としている。この第１側壁８１に対して所定間隔を隔てて、取付面２上に第２側壁８２が設けられている。第２側壁８２の深さは上述の電源線３１の外径寸法に略等しい。第１側壁８１、第２側壁８２及びそれらの間の取付面２の部分で、溝８０が構成されている。カバー１２０は、溝８０に応じた形状の凸部１２１が設けられており、図１に示されるカバー２０に比べて小さい形状となっている。このように、基台１１０とカバー１２０とでケース１０１を構成することで、上記実施例と同等の防水性が得られると共に、ケース１０１をより小型化することが可能である。
又、上記実施例では、本発明を増幅器３０に適用した例について説明したが、本発明は、屋外に設置される全ての電子機器に対して適用可能である。
【図面の簡単な説明】
【図１】  本発明の具体的な実施例に係わる筐体ケースの構成を示した斜視図。
【図２】  筐体ケースの基台に増幅器を組付けた状態を示した斜視図。
【図３】  増幅器を組み込んだ筐体ケースの構成を示した模式的断面図。
【図４】  本発明の具体的な実施例に係わる筐体ケースにおいて、隔壁を設けない構成を示した斜視図。
【図５】  本発明の具体的な実施例に係わる筐体ケースにおいて、切欠きを端子取付面の他の縁部に設けた構成を示した斜視図。
【図６】  本発明の具体的な実施例に係わる筐体ケースにおいて、側壁と取付面とから成る溝部を設けた構成を示した斜視図。
【図７】  従来の筐体ケースの構成を示した模式図。
【符号の説明】
１              端子取出面
２              取付面
３              切欠き
４              第１側壁
５              第２側壁
１０            基台
２０            カバー
２１ａ〜２１ｃ  裾部
３０            増幅器
３１            電源線
１００          筐体ケース
【図１】
0003717283.tif 000002
【図２】
0003717283.tif 000003
【図３】
0003717283.tif 000004
【図４】
0003717283.tif 000005
【図５】
0003717283.tif 000006
【図６】
0003717283.tif 000007
【図７】
0003717283.tif 000008